【事件の表示】
　特許第３４３３３５４号「印刷装置」の請求項１に係る特許に対する特許異議の申立てについて、次のとおり決定する。
【結　論】
　訂正を認める。
　特許第３４３３３５４号の請求項１に係る特許を取り消す。
【理　由】
第１　手続の経緯
　本件出願からの主立った経緯を箇条書きにすると次のとおりである。
・平成６年３月３１日　特許権者によりて本件出願
・平成１５年５月３０日　特許第３４３３３５４号として設定登録（請求項１）
・同年１２月１１日　特許異議申立人村田優子より請求項１に係る特許に対して特許異議申立
・平成１６年４月１３日付け　当審にて取消理由を通知
・同年６月１７日　特許権者より意見書及び訂正請求書提出
・同年１０月１５日付け　当審にて特許異議申立人に対し審尋
・同年１１月２５日　特許異議申立人より回答書提出
・平成１７年７月５日付け　当審にて再度取消理由を通知
・同年９月１２日　特許権者より意見書提出
　
第２　訂正の許否の判断
１．訂正の内容
　平成１６年６月１７日付けの訂正請求（以下「本件訂正」という。）は次の訂正事項１〜４からなっている。
訂正事項１：請求項１の記載を
「印字用の発熱体がライン状に配置された印字ヘッドを駆動して被印字媒体に１ラインづつ印字する印字手段と、
　前記印字手段による各ラインの印字が終了し次のラインの印字が開始されるまでの間に前記被印字媒体を次のラインの印字位置まで搬送する
モータ
　前記印字ヘッドから前記被印字媒体の搬送方向に離間して設けられその離間位置から先に搬送された前記被印字媒体を切断するカッタ手段とを備えた印刷装置において、
　前記印字手段による１ラインづつの印字と前記印字手段による各ラインの印字の間に前記
モータ
モータ
わないように、前記モータの駆動を行うことなく
　前記第１の制御手段により前記印字手段の駆動及び前記被印字媒体の搬送が停止された状態で前記カッタ手段により前記被印字媒体が切断された後に、前記
モータ
モータ
モータ
を具備したことを特徴とする印刷装置。」（下線が訂正箇所。以下同様。）と訂正する。
訂正事項２：明細書の段落【００２２】の記載を
「【課題を解決するための手段】
　すなわち、本発明に係る印刷装置は、印字用の発熱体がライン状に配置された印字ヘッドを駆動して被印字媒体に１ラインづつ印字する印字手段と、前記印字手段による各ラインの印字が終了し次のラインの印字が開始されるまでの間に前記被印字媒体を次のラインの印字位置まで搬送する
モータ
モータ
モータ
わないように、前記モータの駆動を行うことなく
モータ
モータ
モータ
訂正事項３：明細書の段落【００２４】の記載を
「【作用】
　つまり、本発明の印刷装置では、被印字媒体が所定の距離だけ搬送されて印字手段による所定番目のラインの印字が終了したときに、
モータ
わないように、モータの駆動を行わないことで、
が
モータ
モータ
モータ
訂正事項４：明細書の段落【００６９】の記載を
「【発明の効果】
　以上のように、本発明の印刷装置によれば、被印字媒体が所定の距離だけ搬送されて印字手段による所定番目のラインの印字が終了したときに、
モータ
わないように、モータの駆動を行わないことで、
が
モータ
モータ
モータ
　
２．訂正の目的、特許請求の範囲の拡張・変更の有無及び新規事項追加の存否
　訂正事項１のうち、「搬送手段」（６箇所）を「モータ」と訂正することは、搬送手段を限定するものであるから、特許請求の範囲の減縮を目的とするものと認める。訂正事項１のうち、「搬送を行うことなく前記被印字媒体の搬送を停止させる」を「搬送を行わないように、前記モータの駆動を行うことなく前記被印字媒体の搬送を停止させる」と訂正することは明りようでない記載の釈明を目的とするものと認める。
　訂正事項２〜４は、訂正事項１に付随した訂正（訂正事項３の「搬送を停止され」を「搬送
が
　訂正事項１〜４が願書に添付した明細書に記載された事項の範囲内であること、及び訂正事項１〜４が実質上特許請求の範囲を拡張・変更するものでないことは明らかである。
　
３．結論
　以上のとおり、本件訂正は平成１５年改正前特許法１２０条の４第２項、並びに同条３項で準用する平成１５年改正前特許法１２６条２項及び３項が読み替えられて準用される平成６年改正前特許法１２６条第１項ただし書き及び２項の規定に適合する。
　よって、本件訂正を認める。
　
第２　特許異議申立についての判断
１．本件発明の認定
　訂正が認められるから、本件の請求項１に係る発明（以下「本件発明」という。）は、訂正請求書に添付した訂正明細書の特許請求の範囲【請求項１】に記載されたとおりのものであって、再掲すると次のとおりである。
「印字用の発熱体がライン状に配置された印字ヘッドを駆動して被印字媒体に１ラインづつ印字する印字手段と、
　前記印字手段による各ラインの印字が終了し次のラインの印字が開始されるまでの間に前記被印字媒体を次のラインの印字位置まで搬送するモータと、
　前記印字ヘッドから前記被印字媒体の搬送方向に離間して設けられその離間位置から先に搬送された前記被印字媒体を切断するカッタ手段とを備えた印刷装置において、
　前記印字手段による１ラインづつの印字と前記印字手段による各ラインの印字の間に前記モータによる前記被印字媒体の次のラインの印字位置への搬送が繰り返されることにより、前記被印字媒体が所定の距離だけ搬送されて前記印字手段による所定番目のラインの印字が終了したときに、前記モータによる前記所定番目のラインの次のラインの印字位置への搬送を行わないように、前記モータの駆動を行うことなく前記被印字媒体の搬送を停止させる第１の制御手段と、
　前記第１の制御手段により前記印字手段の駆動及び前記被印字媒体の搬送が停止された状態で前記カッタ手段により前記被印字媒体が切断された後に、前記モータによる前記被印字媒体の搬送を停止させたままの状態で前記印字手段によって前記所定番目のラインを重複して印字し、その後に前記モータにより前記被印字媒体を前記所定番目のラインの次のラインの印字位置まで搬送してから、前記所定番目のラインに続くラインについて前記印字手段による印字動作と前記モータによる前記被印字媒体の搬送動作を再開させる第２の制御手段と、
を具備したことを特徴とする印刷装置。」
　
２．引用刊行物の記載事項
　平成１７年７月５日付け取消理由に引用した特開平４−３３１１６９号公報（以下「引用例１」という。）には、次のア〜コの記載が図示とともにある。
　ア．「印刷ヘッドと印刷媒体であるテープと該テープを移送する駆動源となるモータと、前記テープに文字・図形等を印刷し、所定の位置で該テープをカットするカット手段を有し、文字・図形等の印刷途中で、印刷を中断し、前記テープをカットした後、印刷を再開するごときテーププリンタにおいて、前記テープのカットの直前にテープを送るテープ送りローラを前記テープをたるませるため所定量分逆転させる制御手段と、この後にテープをカットする制御手段と、逆転させた所定量分以下を正転させる制御手段と、印刷を再開する制御手段とを有することを特徴とするテーププリンタ。」（【請求項１】）
　イ．「【産業上の利用分野】本発明は文字図形をテープ状の被印刷物に印刷するテーププリンタに係わり、特にテープをカットするためのカット手段を有するテーププリンタにおいて、カット手段の制御に関するものである。」（段落【０００１】）
　ウ．「図２３は従来のテーププリンタの上記不具合点の説明図であり、印刷途中で印刷を停止しカットした場合の印刷ドットを示す。図２３の２０７のドット列を印刷後にテープ送りを停止しテープカットを行うと印刷テープがカッタに引っ張られテープ送り方向に移動してしまう。その結果次の印刷列２０８と印刷停止前の印刷列２０７のドット間距離が他のドット間距離とくらべて大きくなり、その結果印刷の縦抜けとなってしまう。」（段落【０００６】）
　エ．「従来から印刷途中で記録紙をカットする試みもなされたが、カット中に記録紙が移動してしまい、カット前とカット後の印刷結果がずれてしまうと言う問題点があり実用性に乏しかった。」（段落【０００８】）
　オ．「【課題を解決するための手段】上記課題を解決するため、本発明のテーププリンタは、テープのカットの直前にテープを送るテープ送りローラを前記テープをたるませるため所定量分逆転させる制御手段と、この後にテープをカットする制御手段と、逆転させた所定量分以下を正転させる制御手段と、印刷を再開する制御手段とを有することを特徴とするテーププリンタである。」（段落【００１１】）
　カ．「１０５は等間隔に複数の発熱体（図示しない）を有しヘッド支持体１０６に保持されている印刷ヘッド」（段落【００１９】）
　キ．「図６は、テープ印刷の説明図で、・・・印刷バッファ６０内の２０２と２０３はそれぞれドットのあるなしを示している。印刷バッファ６０内の縦方向の列が左側から順に印刷ヘッド１０５に送信され通電を行うと図６（ｃ）の様に印刷を行う。図６（ｃ）では印刷文字「Ａ」の一部を印刷ヘッド１０５に送信し通電を行った時の印刷ドットを示す。２０４は印刷しないドットを２０５は印刷したドットを示す。各通電は、１列毎に行われ、その間にステップモータ１０３が駆動されテープ送りが行われる。ドット列間の距離ｄ１はステップモータ１０３の駆動によりテープ送りローラ１１１の回転送り量により制御している。図７は、本発明のテーププリンタの印刷テープ１５４とヘッド位置の関係について示した図である。矢印Ａ３０はテープ送り方向、２１７はヘッド位置とカッタ位置の距離分の余白のテープであり、２１０はその長さを示している。２１１はテープ長で、前部マージン２１２、印刷範囲２１３、後部マージン２１４の総和である。２１５はテープ幅で、２１６は印刷幅である。」（段落【００２９】）
　ク．「初期状態では印刷ヘッド１０５はＨ１に位置している。印刷指令を受けると前部マージン２１２分テープを送る。印刷ヘッド１０５がＨ２の位置にくると印刷を開始する。印刷開始後前部マージンの先端がカッタ位置にくる時、印刷ヘッド１０５はＨ３の位置にあり、印刷を停止しカット処理を行う。カット後印刷を再開し印刷を終了すると印刷ヘッド１０５はＨ４に位置する。」（段落【００３０】）
　ケ．「カット時のドット間の縦抜けを防ぐ為に、本発明の実施例を説明する。その方法の１つは、ステップモータのホールド制御であり、他の１つはテープカット前後にテープを逆転させる方法である。」（段落【００３１】）
　コ．「テープカット時・・・両面粘着テープ１５２と透明テープ１５１は、通常テープ送り出しの張力により引っ張られているが、テープ送りの逆転により、それぞれ１５２−１と１５１−１のようにたるませた状態となる。このとき、印刷ヘッド１０５の位置では、透明テープ１５１とインクリボン１５３は印刷ヘッド１０５とプラテンローラ１４９に圧着され動くことはない。ここでテープカットされると、両面粘着テープ１５２−１と透明テープ１５１−１はカッタに引っ張られわずかに送られるが、やはり、透明テープ１５１とインクリボン１５３は印刷ヘッド１０５とプラテンローラ１４９に圧着され動くことはない。テープカット後にテープ送りは正転され、両面粘着テープ１５２−１と透明テープ１５１−１は元の張った状態に戻る。正転させるとき、逆転の時より少ないパルス数分戻すことにより、余分に引っ張り出してしまうことのないよう制御する。」（段落【００３９】）
　
２．引用例１記載の発明の認定
　引用例１の記載キによれば、印字は１列毎に行われ、ドット列間の距離ｄ１だけステップモータ１０３が駆動されテープ送りが行われるのだから、記載カの「複数の発熱体」により１列の印字が行われること、及び１列の印字が終了してから次の１列の印字開始までにドット列間の距離（以下「１列分」という。）だけテープ送りが行われることは明らかである。
　記載ウの「印刷テープ」と記載エの「記録紙」に相違はなく（随所に「テープ」とあるのも同義である。）、記載エの「カット前とカット後の印刷結果がずれてしまうと言う問題点」とは記載ウの「カット中に記録紙が移動してしまい、印刷テープがカッタに引っ張られテープ送り方向に移動してしまう。その結果次の印刷列２０８と印刷停止前の印刷列２０７のドット間距離が他のドット間距離とくらべて大きくなり、その結果印刷の縦抜けとなってしまう」ことと認められる。テープが移動しなければ印刷の縦抜けはないのであるから、テープをカットするに際しては、カット前又はカット後のどちらかで１列分テープが送られると認めることができ、それは記載エ「従来から印刷途中で記録紙をカットする試み」にも当てはまる。
　したがって、記載エに「従来」とあるテーププリンタは、
「１列に配置した複数の発熱体を有する印刷ヘッドと印刷媒体であるテープと該テープを移送する駆動源となるモータと、前記テープに文字・図形等を印刷し、所定の位置で該テープをカットするカット手段を有し、１列の印字が終了してから次の１列の印字開始までに１列分テープ送るテーププリンタであって、
文字・図形等の印刷途中で、印刷を中断し、前記テープをカットした後印刷を再開し、カット前又はカット後のどちらかで１列分テープを送るテーププリンタ。」（以下「従来技術」という。）
　また、印刷の縦抜けを解消したものとして引用例１に記載されたテーププリンタは次のようなものである。
「１列に配置した複数の発熱体を有する印刷ヘッドと印刷媒体であるテープと該テープを移送する駆動源となるモータと、前記テープに文字・図形等を印刷し、所定の位置で該テープをカットするカット手段を有し、１列の印字が終了してから次の１列の印字開始までに１列分テープ送るテーププリンタであって、
文字・図形等の印刷途中で、印刷を中断し、前記テープをカットした後印刷を再開し、カット前又はカット後のどちらかで１列分テープを送るものであり、前記テープのカットの直前にテープを送るテープ送りローラを前記テープをたるませるため所定量分逆転させる制御手段と、この後にテープをカットする制御手段と、逆転させた所定量分以下を正転させる制御手段と、印刷を再開する制御手段とを有するテーププリンタ。」（以下「引用発明１」という。）
　
３．本件発明と引用発明１との一致点及び相違点の認定
　引用発明１の「列」、「印刷ヘッド」及び「テープ」と本件発明の「ライン」、「印字ヘッド」及び「被印字媒体」にはそれぞれ相違はないから、引用発明１の「印刷ヘッド」は「印字用の発熱体がライン状に配置された印字ヘッド」であり、同ヘッドを駆動して被印字媒体に１ラインづつ印字する印字手段を引用発明１が備えることは明らかである。
　引用発明１において「１列の印字が終了してから次の１列の印字開始までに１列分テープ送る」ことと、本件発明１において「前記印字手段による各ラインの印字が終了し次のラインの印字が開始されるまでの間に前記被印字媒体を次のラインの印字位置まで搬送する」ことにも相違がない。
　引用発明１の「カット手段」は本件発明１の「カッタ手段」に相当し、引用発明１のそれが「前記印字ヘッドから前記被印字媒体の搬送方向に離間して設けられ」ており、「その離間位置から先に搬送された前記被印字媒体を切断する」ことは明らかである。当然引用発明１においても、「前記印字手段による１ラインづつの印字と前記印字手段による各ラインの印字の間に前記モータによる前記被印字媒体の次のラインの印字位置への搬送が繰り返されることにより、前記被印字媒体が所定の距離だけ搬送されて前記印字手段による所定番目のラインの印字が終了したときに」モータが停止されてテープ（被印字媒体）が切断される。厳密には、引用発明１ではテープをたるませた状態で切断するため、カッタ位置から先に搬送されたテープを切断するのではなく、カッタ位置よりも逆転量分だけ先に搬送されたテープを切断するというべきかもしれないが、そのことを別途相違点として認定するとしても、後記認定の相違点に係る本件発明の構成を採用した場合には、自動的に満たされる構成であるから、ここでは相違点として扱わない。
　引用発明１の「印刷を再開」と「本件発明１」の「前記所定番目のラインに続くラインについて前記印字手段による印字動作と前記モータによる前記被印字媒体の搬送動作を再開」にも相違がない。ただし、被印字媒体切断前後の印字動作及び搬送動作については、本件発明と引用発明１では相違する。
　そして、引用発明１の「テーププリンタ」は「印刷装置」の一種である。
　したがって、本件発明と引用発明１とは、
「印字用の発熱体がライン状に配置された印字ヘッドを駆動して被印字媒体に１ラインづつ印字する印字手段と、
　前記印字手段による各ラインの印字が終了し次のラインの印字が開始されるまでの間に前記被印字媒体を次のラインの印字位置まで搬送するモータと、
　前記印字ヘッドから前記被印字媒体の搬送方向に離間して設けられその離間位置から先に搬送された前記被印字媒体を切断するカッタ手段とを備えた印刷装置において、
　前記印字手段による１ラインづつの印字と前記印字手段による各ラインの印字の間に前記モータによる前記被印字媒体の次のラインの印字位置への搬送が繰り返されることにより、前記被印字媒体が所定の距離だけ搬送されて前記印字手段による所定番目のラインの印字が終了したときに、前記モータの駆動を行うことなく前記被印字媒体の搬送を停止させる第１の制御手段と、
　前記第１の制御手段により前記印字手段の駆動及び前記被印字媒体の搬送が停止された状態で前記カッタ手段により前記被印字媒体が切断された後に、前記所定番目のラインに続くラインについて前記印字手段による印字動作と前記モータによる前記被印字媒体の搬送動作を再開させる第２の制御手段と、
を具備した印刷装置。」である点で一致し（この一致点は、本件発明と従来技術との一致点でもある。）、次の点で相違する。
〈相違点〉本件発明では、「印字手段による所定番目のラインの印字が終了したときに、前記モータの駆動を行うことなく前記被印字媒体の搬送を停止させる」に際し、「前記モータによる前記所定番目のラインの次のラインの印字位置への搬送を行わないように」し、「被印字媒体が切断された後に、前記モータによる前記被印字媒体の搬送を停止させたままの状態で前記印字手段によって前記所定番目のラインを重複して印字し、その後に前記モータにより前記被印字媒体を前記所定番目のラインの次のラインの印字位置まで搬送してから」印字再開するのに対し、引用発明１では「テープのカットの直前にテープを送るテープ送りローラを前記テープをたるませるため所定量分逆転させる制御手段と、この後にテープをカットする制御手段と、逆転させた所定量分以下を正転させ」てから印字再開する点（なお、従来技術は、相違点に係る本件発明の構成も、引用発明１の構成も備えない。）。
　
４．相違点についての判断及び本件発明の進歩性の判断
　本件明細書には「前記ラベルテープ１の先端に生じた不要余白部（ｌ2 ）を切断するために、前記図７（Ｃ）で示したように、印字処理及びテープ搬送処理を一旦中断してカッタを駆動し、該不要余白部（ｌ2 ）を切断分離すると、その切断圧力により、ラベルテープ１がカッタ位置Ｃの方向に引かれるため、該ラベルテープ１における印字中断位置も矢印ｋで示すテープ搬送方向に微少にずれ、印字再開位置との間に印字の縦抜けが生じる問題がある。」（段落【００１２】）との記載があり、これは引用例１の記載ウ，エと実質同一課題を記載したものであり、本件発明及び引用発明１は相違点に係るそれぞれの発明の構成を採用することにより（従来技術を出発点として）、同課題を解決したものである。
　より具体的には、「ラベルテープ１がカッタ位置Ｃの方向に引かれる」ことが原因となっての「印字の縦抜けが生じる問題」をなくすることが、本件発明及び引用発明１の共通課題であって、引用発明１は原因たる「テープがカッタに引っ張られテープ送り方向に移動」ことを「テープをたるませる」ことにより除去した発明であり、本件発明は原因を除去する代わりに、所定番目のラインの印字が終了後次のラインの印字位置への搬送を行わなず、被印字媒体が切断された後に前記所定番目のラインを重複して印字することにより、印字の縦抜けをなくした発明である。
　ところで、何らかの原因により解決すべき問題点がある場合に、原因を除去するか、原因は放置しておいて事後的に適宜の対策を施し問題点を解消又は減少させることは、技術分野を問わず行われることであり、引用発明１は前者（原因除去）を採用したものであるが、後者（事後的対策）に変更しても差し支えないことは明らかである。そして、前者（原因除去）であればその原因を究明し、原因ごとに対策は異なるであろうが、後者（事後的対策）であれば、印刷中断時に被印字媒体が移動するという現象だけが対策対象となり、移動の究極的原因が何であるかは関係がない。
　
　平成１７年７月５日付け取消理由に引用した特開平１−２３８３７０号公報（以下「引用例２」という。）には、
「ファクシミリ受信装置においては、一般的に感熱記録装置または熱転写記録装置が用いられる。この場合、発熱素子を例えば８〜１６ｄｏｔ／ｍｍ程度の密度で直線的に並べた記録紙幅に対応する幅のライン型のサーマルヘッドを用い、サーマルヘッドの発熱体素子並設方向を主走査方向（水平走査方向）とし、紙送り方向を副走査方向（垂直走査方向）としてライン毎の画情報を主走査により、また、次のラインの記録に移るには副走査を行うことによつて記録を実施して行く。」（２頁左上欄１５行〜右上欄４行）、
「ファクシミリ伝送では画信号をデータ圧縮して送るので、伝送速度が一定化せず、従って、記録速度も一定化しない。・・・特に、記録状態から停止状態に入るときには慣性の法則から必ず上記ピッチよりオーバランすることになる。そして、送りが多過ぎる場合には前のラインと次のラインとの間にすき間が生じて記録像の劣化を招く。」（３頁右下欄７〜１９行）及び
「記録実行状態から復号に手間どって記録停止の状態に入つた時、副走査方向の送りが停止となるので、前記慣性によるオーバーランのために復号が終ってその次のラインの記録が実行されると上のラインＬＮｂと下のラインＬＮｃとの間に白ぬけＥが生じる。そこで、復号により停止が生じるとき、これを検出する機能を持たせ、この停止検出時に最後の記録終了時点からオーバランするまでの間における予め定めた一部タイミングにおいて第７図（ｂ）に示すように再度、前ライン（ＬＮｂ）の画信号で１ライン分の記録を行ない（ＬＮｂ’）、これによつて形成される追記ドットＤ２’により白ぬけを無くすようにする。そして、復号が済んでからＬＮｃのドットＤ３を記録する。」（４頁左上欄１１行〜右上欄４行）
との各記載がある。これら記載によると、引用発明１（又は従来技術）と引用例２記載のファクシミリ受信装置は、発熱体（発熱素子）をライン状に配置し、ライン毎の画情報を主走査により、次のラインの記録に移るには副走査を行うことによつて記録を実施する印刷装置である点、及びテープ若しくは記録紙が予定以上に送られた場合に縦抜け（白ぬけ）となる点で共通することが明らかである。そして、引用例２記載の技術では、「前のラインと次のラインとの間にすき間が生じ」るため、「前ライン（ＬＮｂ）の画信号で１ライン分の記録」することにより、白ぬけをなくしたものである。そうであれば、相違点に係る引用発明１の構成（原因除去による縦抜け解消手段）を、引用例２記載の白ぬけ解消手段を採用することにより事後的対策に変更すること、すなわち、テープ切断によるテープ移動分に対して切断直前の印字データを再度印字することは当業者にとって想到容易である。
　ところで、引用発明１又は従来技術では、カット前に１列分（１ライン分）テープを送るのか、カット後に１列分テープを送るのかによって、格別の印刷品位上の相違はない。しかし、引用例２記載の技術を採用して、縦抜けを解消する場合には、切断直前の印字データを再度印字する際に、直前の印字列から１列分以上テープが送られていてはならないことは自明である。引用例２第４図（ａ）及び（ｂ）を比較すると、追記ドットＤ２’を形成しない（ａ）において、ドットＤ２とドットＤ３の間隔は、本来の１ライン分よりも大きく、「最後の記録終了時点からオーバランするまでの間における」とあるのは、オーバランして停止するまで待っていたのでは、ドットＤ２と追記ドットＤ２’の間隔が１ライン分を超え白ぬけを解消できないからである。そして、引用発明１に引用例２記載の技術を採用するに当たり、カット前に１列分テープを送ったのでは、切断時のテープ移動と相俟って、カット直前の印字列から１列分以上テープが送られることになってしまい、縦抜けを解消できないことが自明である。換言すれば、引用発明１に引用例２記載の技術を採用する場合には、カット直前の列を印字した後は、テープを送らずに切断作業に入り、カット後に直前列のデータを再印字してから１列分テープを送ることは必然的付随事項である。
　したがって、相違点に係る本件発明の構成は、引用発明１及び引用例２記載の技術に基づいて当業者が容易に想到することができた構成である。
　特許権者は、「引用例２の発明では、記録再開時には停止直前に記録した画信号の次の画信号から記録を行うように構成されているため、オーバーラン時の停止直前に記録した画信号とその上に重ねて記録される再開時の画信号とが異なる信号であるため、記録の連続性が損なわれることになります。」（平成１７年９月１２日付け意見書５頁７〜１０行）と主張するので検討する。引用例２記載の発明は、停止までに１ライン分を超える長さの記録紙が送られる（既に述べたように第７図（ａ）から明らかであり、その原因はオーバーランである。）ことにより白ぬけが生じることを解消するために、停止直前の画信号を再度記録することで、白ぬけとなる箇所を埋める発明である。この技術思想を引用発明１に採用することが当業者にとって想到容易なのであって、記録再開時の画信号が何であるかは、引用発明１に引用例２記載の技術を採用する場合に考慮する必要がないことがらである。要するに、特許権者の主張は、記録停止・再開前後の画信号という観点に固執した主張であり、テープ（記録紙）の不都合な移動に着目した主張ではない。テープ（記録紙）の不都合な移動に着目すれば、引用発明１及び引用例２記載の技術に基づいて相違点に係る本件発明の構成に容易に至ることは既に述べたとおりであるから、上記主張によって本件発明の進歩性を肯定することはできない。
　また、相違点に係る本件発明の構成を採用したことによる、予測困難なほどの作用効果を認めることもできない。
　したがって、本件発明は引用発明１及び引用例２記載の技術に基づいて当業者が容易に発明をすることができたものである。
　
第４　むすび
　本件発明は引用発明１及び引用例２記載の技術に基づいて当業者が容易に発明をすることができたものであるから、本件の請求項１に係る特許は、特許法２９条２項の規定により拒絶をしなければならない特許出願に対してされた特許である。すなわち、請求項１に係る特許は、特許法等の一部を改正する法律（平成６年法律１１６号）附則１４条の規定に基づく、特許法等の一部を改正する法律の施行に伴う経過措置を定める政令（平成７年政令２０５号）４条２項の規定により、取り消されなければならない。
　よって、結論のとおり決定する。
【異議決定日】
平成１７年９月２７日（２００５．９．２７）
【訂正の要旨】
審決（決定）の【理由】欄参照。
（５４）【発明の名称】
印刷装置
（５７）【特許請求の範囲】
　【請求項１】印字用の発熱体がライン状に配置された印字ヘッドを駆動して被印字媒体に１ラインづつ印字する印字手段と、
　前記印字手段による各ラインの印字が終了し次のラインの印字が開始されるまでの間に前記被印字媒体を次のラインの印字位置まで搬送する
モータ
　前記印字ヘッドから前記被印字媒体の搬送方向に離間して設けられその離間位置から先に搬送された前記被印字媒体を切断するカッタ手段とを備えた印刷装置において、
　前記印字手段による１ラインづつの印字と前記印字手段による各ラインの印字の間に前記
モータ
わないように、前記モータの駆動を行うことなく
　前記第１の制御手段により前記印字手段の駆動及び前記被印字媒体の搬送が停止された状態で前記カッタ手段により前記被印字媒体が切断された後に、前記
モータ
モータ
モータ
を具備したことを特徴とする印刷装置。
【発明の詳細な説明】
　【０００１】
　【産業上の利用分野】
　本発明は、例えば帯状記録紙を被印刷媒体として印刷するラベルプリンタ，ファクシミリ等の印刷装置に関する。
　【０００２】
　【従来の技術】
　従来、オーディオカセットやビデオカセットに貼付けてその内容を記すインデックスラベル、あるいは種々の所持品に貼付けてその所有者を記すネームラベル等をオリジナルで作成する装置の１つとして、例えばラベルプリンタが提供されている。
　【０００３】
　このラベルプリンタは、多数の文字入力キーを備えた文書作成機能を有し、この文書作成機能により任意に作成した文字列からなる文書データ等を、印刷キーを操作することで被印字データとしてラベル状のテープにサーマル印字ヘッドを介して熱転写印刷して出力するもので、この印刷されたラベルテープは、順次搬送されて装置本体側面のテープ排出口より外部に排出され、前記印字ヘッドとテープ排出口との間に配設されたカッタにより切断分離されるようになっている。
　【０００４】
　ここで、前記サーマル印字ヘッドとカッタとの間には、構造上、ある程度の間隔が存在するため、ラベルテープの先端と被印字データの印字開始位置との間には、前記ヘッド〜カッタ間隔に対応する長さの余白部が生じることになる。
　【０００５】
　このため、ラベルテープに対する実際の印字に際しては、印字開始位置よりも前に必要な先端余白長を予め設定し、この先端余白長よりもさらに前の不要余白部分を、前記カッタにより切断分離させている。
　【０００６】
　図７はラベルプリンタのラベルテープに対する被印字データの印字状態を示す図である。
　図７において、１はラベルテープ、Ｐはサーマル印字ヘッドの配置位置（印字開始位置）、Ｃはカッタの配置位置（テープ切断位置）であり、初期状態では、図７（Ａ）に示すように、前回印字の際のテープ切断により、カッタ位置Ｃを先端としてラベルテープ１がセットされている。
　【０００７】
　ここで、被印字データの印字に際しては、ヘッド位置Ｐとカッタ位置Ｃとの間隔Ｌの範囲内において、印字開始位置Ｐよりも前に必要な先端余白長ｌ１（ｌ：エル）が予めキー入力により数値設定されるもので、この場合、前記Ｐ〜Ｃ間隔Ｌから前記先端余白長ｌ１が減算されて、印字開始後におけるラベルテープ１の不要余白長ｌ２が求められる。
　【０００８】
　すると、図７（Ｂ）に示すように、ヘッド位置Ｐにおける被印字データの１ライン印字毎にラベルテープ１は矢印ｋで示す方向に搬送されるもので、ここで、ラベルテープ１の印字開始からの搬送距離が前記不要余白長ｌ２に達することで、前記予め設定された先端余白長ｌ１を残して、ラベルテープ１の不要余白部が、カッタ位置Ｃよりも先に搬送されたことが検出されると、被印字データの印字処理及びラベルテープ１の搬送処理が一旦停止され、図７（Ｃ）に示すように、カッタが駆動されて前記ラベルテープ１の不要余白部が切断分離される。
　【０００９】
　これにより、ラベルテープ１の先端には、所定の先端余白部（ｌ１）が設定されるもので、この後、図７（Ｄ）に示すように、１ライン毎の印字処理及びテープ搬送処理が再開され、被印字データ「ＡＢＣ」がラベルテープ１に印字されるようになる。
　【００１０】
　そして、図７（Ｅ）に示すように、被印字データの最終の印字文字「Ｃ」がヘッド位置Ｐにおいて印字終了した時点からのラベルテープ１の搬送距離が、予め設定された後端余白長ｌ３とＣ〜Ｐ間隔Ｌとを加算した「ｌ３＋Ｌ」に達することで、印字後ラベルテープ１の後端に所定の後端余白部（ｌ３）が得られたことが検出されると、印字処理及びテープ搬送処理が停止され、カッタが駆動されて印字済みラベルテープ１が切断分離される。
　【００１１】
　これにより、ヘッド位置Ｐとカッタ位置Ｃとの間隔Ｌが存在しても、予め設定された先端余白長ｌ１に応じて不要余白部（ｌ２）が切断分離され、所定の先端余白部（ｌ１）及び後端余白部（ｌ３）を有する印字済みラベルテープ１が得られるようになる。
　【００１２】
　【発明が解決しようとする課題】
　しかしながら、前記ラベルテープ１の先端に生じた不要余白部（ｌ２）を切断するために、前記図７（Ｃ）で示したように、印字処理及びテープ搬送処理を一旦中断してカッタを駆動し、該不要余白部（ｌ２）を切断分離すると、その切断圧力により、ラベルテープ１がカッタ位置Ｃの方向に引かれるため、該ラベルテープ１における印字中断位置も矢印ｋで示すテープ搬送方向に微少にずれ、印字再開位置との間に印字の縦抜けが生じる問題がある。
　【００１３】
　図８は前記ラベルテープ切断のために印字の中断が生じた場合の従来の１文字印字動作に対応するヘッド通電信号ＳＴＢとテープ搬送モータパルス信号φ１〜φ４との関係を示すタイミングチャートである。
　【００１４】
　図９は前記ラベルテープ切断のために印字の中断が生じた場合の従来の１文字印字状態を示す図である。
　この場合、印字ヘッドは１ライン８ドットの分解能を有し、１文字８×８ドットで印字されるものとし、また、テープ搬送モータは２相励磁式のステップモータで、１ステップで１ライン分テープ搬送されるものとして説明する。
　【００１５】
　すなわち、タイミングＴ０におけるモータパルスφ３，φ４の出力により印字ヘッドが印字ラインＰ０にセットされている状態で、ヘッド通電信号Ａが出力されると、被印字データの第１ラインａが印字されると共に、タイミングＴ１においてモータパルスφ４，φ１が出力されることでラベルテープ１が１ライン分搬送され、印字ヘッドが印字ラインＰ１にセットされる。
　【００１６】
　そして、ヘッド通電信号Ｂが出力されると、被印字データの第２ラインｂが印字されると共に、タイミングＴ２においてモータパルスφ１，φ２が出力されることでさらに１ライン分テープ搬送され、印字ヘッドが印字ラインＰ２にセットされる。
　【００１７】
　つまり、印字ヘッドの通電による１ライン印字処理とモータパルスの出力による１ライン分のテープ搬送処理とが繰返されることで、被印字データが１ラインずつ印字されるもので、この後、ヘッド通電信号Ｃの出力により、被印字データの第３ラインｃが印字されると共に、タイミングＴ３においてモータパルスφ２，φ３が出力されることで１ライン分テープ搬送され、印字ヘッドが印字ラインＰ３にセットされた際に、前記図７（Ｂ）で示したように、ラベルテープ１の印字開始からの搬送距離がその不要余白長ｌ２に達したことが検出されると、タイミングＴｓ１において印字ヘッドの通電処理及びモータパルスの出力処理は一旦停止される。
　【００１８】
　ここで、前記図７（Ｃ）で示したように、カッタが駆動され、ラベルテープ１の不要余白部（ｌ２）が切断分離されるもので、この際、印字ヘッドが印字ラインＰ３にセットされて搬送中断状態にあるラベルテープ１も、その切断圧力によりカッタ位置Ｃの方向に引かれるので、該ラベルテープ１にはΔｌの搬送ずれが生じ、前記印字ヘッドの印字ラインＰ３はΔｌ分だけずれてＰ３′にセットされてしまう。
　【００１９】
　そして、タイミングＴｓ２において印字処理が再開されると、ヘッド通電信号Ｄの出力により、前記Δｌだけずれの生じた印字ラインＰ３′に対応して被印字データの第４ラインｄが印字されると共に、タイミングＴ４においてモータパルスφ３，φ４が出力されることで再び１ライン分テープ搬送され、印字ヘッドが印字ラインＰ４にセットされるもので、この後、さらに、印字ヘッドの通電による１ライン印字処理とモータパルスの出力による１ライン分のテープ搬送処理とが、タイミングＴ５→Ｔ６→Ｔ７と繰返され、順次被印字データの第５ライン→第６ライン→…と印字されて１文字分印字されるようになる。
　【００２０】
　このように、従来のラベルプリンタでは、被印字データの印字処理を中断して、ラベルテープ１を切断し、印字処理を再開させると、前記ラベルテープ１の搬送ずれΔｌに応じた幅の印字の縦抜けＸが生じ、印字品質を低下させる問題がある。
　【００２１】
　本発明は前記課題に鑑みなされたもので、被印字データの印字中における印字の中断に際し、被印字媒体にその搬送方向へのずれが生じた場合でも、印字抜けが生じることなく、良好な印字品質を維持することが可能になる印刷装置を提供することを目的とする。
　【００２２】
　【課題を解決するための手段】
　すなわち、本発明に係る印刷装置は、印字用の発熱体がライン状に配置された印字ヘッドを駆動して被印字媒体に１ラインづつ印字する印字手段と、前記印字手段による各ラインの印字が終了し次のラインの印字が開始されるまでの間に前記被印字媒体を次のラインの印字位置まで搬送する
モータ
モータ
モータ
わないように、前記モータの駆動を行うことなく
モータ
モータ
モータ
　【００２３】
　【００２４】
　【作用】
　つまり、本発明の印刷装置では、被印字媒体が所定の距離だけ搬送されて印字手段による所定番目のラインの印字が終了したときに、
モータ
わないように、モータの駆動を行わないことで、
が
モータ
モータ
モータ
　【００２５】
　【００２６】
　【実施例】
　以下図面により本発明の一実施例について説明する。
　図１は本発明の印刷装置を搭載したラベルプリンタの構成を示す外観図である。
　【００２７】
　プリンタ本体１０の正面には、キー入力部１１及び液晶ドットマトリクス表示部１２が設けられる。
　キー入力部１１には、電源のＯＮ／ＯＦＦ操作を行なう「ＯＮ」キー１３ａ，「ＯＦＦ」キー１３ｂ、ひらがなや英記号，英数字を入力する際に操作される各種文字記号入力キー１４、英記号入力モードを設定する際に操作される「ａＡ」キー１５、ひらがな／カタカナ入力モードを設定する際に操作される「あア」キー１６、空白入力する際に操作される「空白」キー１７、各モードにおけるそれ以前の処理内容を取消す際に操作される「取消し」キー１８、所望のかな／漢字変換を行なう際に選択的に操作される「変換」キー１９ａ，「単漢字」キー１９ｂ，「無変換」キー１９ｃ、漢字変換等の選択／実行を行なう際に操作される「実行」キー２０、各キー横に表示された機能選択を行なう際に操作される「機能」キー２１、印刷処理を開始させる際に操作される「印刷」キー２２、液晶表示部１２上での画面スクロール操作やカーソル移動操作あるいはデータ選択操作を行なう際に操作されるカーソルキー「↑」２３ａ，「↓」２３ｂ，「→」２３ｃ，「←」２３ｄ、そして、文字データ入力モードあるいは印刷モードを設定する際に操作される「モード」キー２４が設けられる。
　【００２８】
　また、前記キー入力部１１には、その他にも、被印字データの作成表示の際に適宜操作される各種の機能キーが設けられる。
　すなわち、例えば文字データ入力モードにおいて、“ＡＢＣ”と文字入力してラベル印刷したい場合に、まず、文字記号入力キー１４を操作して、「Ａ」「Ｂ」「Ｃ」と入力すると、液晶表示部１２上に“ＡＢＣ”と順次表示される。
　【００２９】
　そして、印刷モードを設定して「印刷」キー２２を操作すると、前記入力文字列“ＡＢＣ”がラベルテープ３２ａに印刷されて出力される。
　一方、前記液晶ドットマトリクス表示部１２に隣接するプリンタ本体１０の内部には、その一部を切り欠いて示すように、カセット装着部３１が設けられ、このカセット装着部３１には、インクテープカセット３２が装着されて使用される。
　【００３０】
　前記インクテープカセット３２には、前記被印刷データが印刷される接着剤付きラベルテープ３２ａと該ラベルテープ３２ａに対する印刷用のインクリボン３２ｂが備えられ、ラベルテープ３２ａは転写部３２ｃにおいてインクリボン３２ｂと平行接触して同時進行し、テープ繰出し部３２ｄから繰出されるよう構成される。
　【００３１】
　前記カセット装着部３１に対し、前記インクテープカセット３２は、前記キー入力部１１を除くプリンタ本体１０の正面上部を被う開閉蓋１０ａを、ロックスイッチ１０ｂを操作して開放することで着脱可能になるもので、該インクテープカセット３２の内部に配されたリボン巻取りスプール３３は、図示しないテープ搬送モータにより回転駆動され、このインクリボン３２ｂの巻取りに伴ないこれに接触するラベルテープ３２ａも同時並行して引出される。
　【００３２】
　この場合、プラテンローラ３４はインクテープカセット３２の転写部３２ｃにおけるラベルテープ３２ａに沿って位置設定され、また、サーマルヘッド３５は同転写部３２ｃにおけるインクリボン３２ｂに沿って位置設定される。
　【００３３】
　また、前記サーマルヘッド３５のライン型発熱素子に対応する印字位置からラベルテープ３２ａの搬送方向に一定距離Ｌで離間したテープ繰出し部３２ｄには、該テープ繰出し部３２ｄより先に搬送されたラベルテープ３２ａを切断分離するためのカッタ３６が配置される。
　【００３４】
　ここで、前記転写部３２ｃにおいて、ラベルテープ３２ａとインクリボン３２ｂとは、前記インクテープカセット３２の入替えに伴ない開閉蓋１０ａが閉じられた際に、プラテンローラ３４とサーマルヘッド３５との間に挾持されるもので、開閉蓋１０ａが開放されると、プラテンローラ３４がサーマルヘッド３５から離れ、インクテープカセット３２が入替え可能な状態に設定される。
　【００３５】
　すなわち、接着剤付きのラベルテープ３２ａに対する被印刷データの印刷動作時には、該ラベルテープ３２ａとインクリボン３２ｂとは、リボン巻取りスプール３３及びプラテンローラ３４の回転により、転写部３２ｃにおいてそれぞれ同一の速度で搬送され、サーマルヘッド３５がプラテンローラ３４との間に前記ラベルテープ３２ａとインクリボン３２ｂとを挟み付けて熱転写動作することにより、被印字データが順次ラベルテープ３２ａに印刷されてテープ繰出し部３２ｄから繰出され、その印刷済み部分がプリンタ本体１０の外部に排出される。
　【００３６】
　そして、１ラベル分の印刷が終了すると、カッタ３６により印刷済みラベルテープ３２ａが切断分離される。
　図２は前記ラベルプリンタの電子回路の構成を示すブロック図である。
　【００３７】
　このラベルプリンタの電子回路は、制御部（ＣＰＵ）４０により回路全体の動作制御が司られる。
　制御部４０には、前記キー入力部１１が接続されると共に、表示メモリ４１及び表示ドライバ４２を介して液晶ドットマトリクス表示部１２が接続され、また、印刷制御部４３を介してサーマルヘッド３５及びテープ搬送モータ４４が接続され、カッタ駆動部４５を介してカッタ３６が接続される。
　【００３８】
　その他、前記制御部４０には、ＲＯＭ４６、キャラクタジェネレータ４７、ＲＡＭ４８が接続される。
　前記ＲＯＭ４６には、各種データ入力モードにおける被印刷データの作成制御プログラムや印刷制御プログラム等、制御部４０によるシステム制御プログラムが予め記憶される。
　【００３９】
　また、前記キャラクタジェネレータ４７には、前記キー入力部１１により入力可能な全ての文字・記号・命令コードに対応するキャラクタパターンデータが予め記憶される。
　【００４０】
　前記ＲＡＭ４８には、文字データ入力モードにおいて入力された文字データが被印字データとして記憶される印字データメモリ、印刷モードにおける被印字データの印字開始に際し、予めキー入力設定されるラベルテープ３２ａの先端余白長ｌ１（ｌ：エル）や後端余白長ｌ３が記憶されると共に、該先端余白長ｌ１と前記サーマルヘッド３５からカッタ３６までの距離Ｌとに基づき算出される不要余白長ｌ２が記憶される余白長レジスタ等が備えられる。
　【００４１】
　前記印刷制御部４３は、被印字データの印刷開始に応じて前記ＲＡＭ４８内の印字データメモリより順次読出される被印字データが、サーマルヘッド３５によりラベルテープ３２ａに１ラインデータずつ印刷出力されるのに同期して、テープ搬送モータ４４を駆動して前記リボン巻取りスプール３３を回転駆動させるもので、これにより、ラベルテープ３２ａはその１ライン毎の印刷に伴ないインクテープカセット３２から１ライン分ずつ繰出されて搬送排出される。
　【００４２】
　なお、図示しないが、前記カッタ３６は、例えば固定刃と可動刃とを備え、可動刃はカムを介して駆動モータに連結されており、駆動モータの駆動により可動刃が作動し、これら刃と刃の間でテープ切断を行なうものである。そして、前記駆動モータは、制御部（ＣＰＵ）４０の制御を受け、カッタ駆動部４５からモータ駆動電圧が供給されることにより駆動される。
　【００４３】
　次に、前記構成によるラベルプリンタの動作について説明する。
　このラベルプリンタを用いて任意のラベルを作成する場合、まず、モードキー２４を操作して入力モードを設定し、印刷したい文字・記号列を入力する。
　【００４４】
　制御部４０は、キー入力部１１から入力されたデータをＲＡＭ４８内の印字データメモリに保存し、さらに、キャラクタジェネレータ４７を用いて表示フォントに変換し、表示データを表示メモリ４１にセットする。表示ドライバ４２は表示メモリ４１に記憶された表示データを液晶ドットマトリクス表示部１２に表示する。また、制御部４０は、キー入力部１１からの指示に応じて仮名漢字変換等の処理も行なう。
　【００４５】
　一方、印刷に際して、ラベルテープ３２ａの余白の長さを設定する場合、ユーザはモードキー２４を操作し、余白設定モードを設定する。この余白設定モードの設定に応じて、制御部４０は表示メモリ４１及び表示ドライバ４２を介して液晶ドットマトリクス表示部１２に余白設定画面を表示させる。
　【００４６】
　ここで、ユーザがキー入力部１１を操作して、例えば先端余白長ｌ１及び後端余白長ｌ３に適当な数値を設定すると、その余白長データｌ１，ｌ３は、ＲＡＭ４８内の余白長レジスタに記憶されると共に、この余白長レジスタには、さらに、サーマルヘッド３５の印字位置Ｐとカッタ３６のテープ切断位置Ｃとの一定距離Ｌから前記先端余白長ｌ１を減算して求めた不要余白長ｌ２が記憶される（図７参照）。
　【００４７】
　なお、余白長として特に数値を設定しない場合には、前記一定距離Ｌがそのまま先端余白長ｌ１として設定される。
　そして、入力した被印字データを印刷する場合、モードキー２４を操作して印刷モードに設定した後、キー入力部１１の印刷キー２２を操作する。このキー操作に応じて、制御部４０はＲＯＭ４６に記憶された制御プログラムに従って印刷処理を開始するもので、これにより、ＲＡＭ４８内の印字データメモリに記憶された被印字データが順次１ラインデータずつ読出され、印刷制御部４３からサーマル印字ヘッド３５を介してラベルテープ３２ａに熱転写印字されると共に、テープ駆動モータ４４により該ラベルテープ３２ａが１ライン分ずつ搬送される（図７参照）。
　【００４８】
　ここで、前記被印字データの印刷処理に伴なう１文字印刷処理について説明する。
　図３は前記ラベルプリンタの１文字印刷処理を示すフローチャートである。
　【００４９】
　図４は前記ラベルプリンタの１文字印刷処理に伴なう１文字印字動作に対応するヘッド通電信号ＳＴＢとテープ搬送モータパルス信号φ１〜φ４との関係を示すタイミングチャートである。
　【００５０】
　図５は前記ラベルプリンタの１文字印刷処理に伴なう１文字印字状態を示す図である。
　この場合、サーマル印字ヘッド３５は１ライン８ドットの分解能を有し、１文字８×８ドットで印字されるものとし、また、テープ搬送モータ４４は２相励磁式のステップモータで、１ステップで１ライン分テープ搬送されるものとして説明する。
　【００５１】
　すなわち、印刷制御部４３からテープ搬送モータ４４に対するタイミングＴ０におけるモータパルスφ３，φ４の出力によりサーマル印字ヘッド３５がラベルテープ３２ａの印字ラインＰ０にセットされている状態で、ＲＡＭ４８内の印字データメモリに対する制御部４０からのアドレス指定により、被印字データの第１ラインａが読込まれ、ヘッド通電信号Ａが出力されると、前記ラベルテープ３２ａの印字ラインＰ０に対して被印字データの第１ラインａが印字される（ステップＳ１，Ｓ２）。
　【００５２】
　この際、被印字データの印刷開始からのラベルテープ３２ａの搬送距離が、前記ＲＡＭ４８内の余白長レジスタに予め記憶されている不要余白長ｌ２に達したか否か判断され、該不要余白長ｌ２の切断のための印刷停止（中断）を行なうか否か判断されるもので、ここで、ラベルテープ３２ａの搬送距離が不要余白長ｌ２に到達せず、印刷停止の必要無しと判断されると、タイミングＴ１においてモータパルスφ４，φ１が出力されることでラベルテープ３２ａが１ライン分搬送され、サーマル印字ヘッド３５が印字ラインＰ１にセットされると共に、ＲＡＭ４８内の印字データメモリに記憶されている被印字データの第２ラインｂがアドレス指定される（ステップＳ３→Ｓ４，Ｓ５）。
　【００５３】
　すると、前記ＲＡＭ４８内の印字データメモリに対する１ラインデータずつのアドレス指定に応じて、１文字印刷が終了したか否か判断されるもので、この場合、前記ステップＳ５では、被印字データの第２ラインｂがアドレス指定されているので、印刷終了ではないと判断され、再び前記ステップＳ１からの処理に復帰する（ステップＳ６→Ｓ１）。
　【００５４】
　すなわち、ラベルテープ３２ａの印字ラインＰ１にサーマル印字ヘッド３５がセットされている状態で、前記被印字データの第２ラインｂが読込まれ、ヘッド通電信号Ｂが出力されると、前記ラベルテープ３２ａの印字ラインＰ１に対して被印字データの第２ラインｂが印字される（ステップＳ１，Ｓ２）。
　【００５５】
　ここで、ラベルテープ３２ａの搬送距離が前記不要余白長ｌ２に到達せず、印刷停止の必要無しと判断されると、タイミングＴ２においてモータパルスφ１，φ２が出力されることでラベルテープ３２ａが１ライン分搬送され、サーマル印字ヘッド３５が印字ラインＰ２にセットされると共に、ＲＡＭ４８内の印字データメモリに記憶されている被印字データの第３ラインｃがアドレス指定される（ステップＳ３→Ｓ４，Ｓ５）。
　【００５６】
　つまり、印字ヘッドの通電による１ライン印字処理毎に、ラベルテープ３２ａ切断ための印刷停止が必要か否か判断されると共に、印刷停止が必要でない場合には、モータパルスの出力による１ライン分のテープ搬送処理が繰返されることで、ＲＡＭ４８内の印字データメモリに記憶されている被印字データがサーマル印字ヘッド３５を介してラベルテープ３２ａに１ラインずつ印字される。
　【００５７】
　この後、前記ステップＳ４，Ｓ５の処理により、ラベルテープ３２ａの印字ラインＰ２にサーマル印字ヘッド３５がセットされている状態で、ステップＳ１，Ｓ２の処理を経て、被印字データの第３ラインｃが読込まれ、ヘッド通電信号Ｃの出力により、前記ラベルテープ３２ａの印字ラインＰ２に対して被印字データの第３ラインｃが印字された際に、ステップＳ３において、ラベルテープ３２ａの搬送距離が、前記ＲＡＭ４８内の余白長レジスタに予め記憶されている不要余白長ｌ２に達したと判断されると、タイミングＴｓ１において印刷制御部４３によるヘッド通電処理及びモータパルスの出力処理は停止（中断）され、印刷再開待ちの状態に設定される（ステップＳ３→Ｓ７）。
　【００５８】
　ここで、カッタ駆動部４５を介してカッタ３６が駆動され、該カッタ３６より先に搬送されたラベルテープ３２ａの不要余白部（ｌ２）が、例えば図７（Ｃ）で示すように切断分離されるもので、この際、印字ラインＰ２における第３ラインｃの印字後に、該印字ラインＰ２にサーマル印字ヘッド３５がセットされたまま印刷中断状態にあるラベルテープ３２ａも、その切断圧力によりカッタ３６の方向に引かれるので、該ラベルテープ３２ａにはΔｌの搬送ずれが生じ、前記サーマル印字ヘッド３５の印字ラインＰ２はΔｌ分だけずれてＰ２′にセットされる。
　【００５９】
　そして、キー入力部１１における「実行」キー２０が再操作されることで、タイミングＴｓ２において印刷処理が再開されると、印字ラインＰ２→Ｐ３の更新処理がなされないまま、被印字データの第３ラインｃが再び読込まれ、ヘッド通電信号Ｃの再出力により、前記Δｌだけずれの生じた印字ラインＰ２′に対応して被印字データの第３ラインｃが重複して印字される（ステップＳ７→Ｓ１，Ｓ２）。
　【００６０】
　すなわち、被印字データの第３ラインｃの印字後に、その印刷処理が中断再開された際には、ラベルテープ３２ａの搬送位置及び被印字データのアドレス指定はそのままにして、前記被印字データの第３ラインが再印字されるもので、これにより、印字ラインＰ２に対する第３ラインｃの印字後にΔｌの搬送ずれが生じた印字ラインＰ２′に対しても重ねて第３ラインｃが印字され、印字の縦抜けが阻止されるようになる。
　【００６１】
　そして、ステップＳ３において、印刷停止の必要無しと判断されると、タイミングＴ３においてモータパルスφ２，φ３が出力されることで再び１ライン分ラベルテープ３２ａが搬送され、サーマル印字ヘッド３５が印字ラインＰ３にセットされると共に、ＲＡＭ４８内の印字データメモリに記憶されている被印字データの第４ラインｄがアドレス指定される（ステップＳ３→Ｓ４，Ｓ５）。
　【００６２】
　この後、さらに、サーマル印字ヘッド３５の通電による１ライン印字処理とモータパルスの出力による１ライン分のテープ搬送処理とが、タイミングＴ４→Ｔ５→Ｔ６→と繰返されることで、順次被印字データの第４ラインｄ→第５ラインｅ→第６ラインｆ→…と印字されて１文字分の印字処理が終了される（ステップＳ１〜Ｓ６）。
　【００６３】
　したがって、前記構成のラベルプリンタによれば、ＲＡＭ４８の印字データメモリに記憶された被印字データを、１ラインずつアドレス指定して読込み、印刷制御部４３からサーマル印字ヘッド３５を介してラベルテープ３２ａに印刷出力すると共に、その１ライン印刷処理毎に、テープ搬送モータ４４にモータパルスを出力してラベルテープ３２ａを１ライン分ずつ搬送させ、サーマル印字ヘッド３５の印字ラインを更新させる状態で、ある１ライン印字後に、例えばラベルテープ３２ａの印刷開始からの搬送距離がＲＡＭ４８内の余白長レジスタに予め記憶されている不要余白長ｌ２に達したことで、その印刷処理が中断されると共にラベルテープ３２ａの不要余白部がカッタ３６により切断分離され、再び印刷処理が再開された際には、ラベルテープ３２ａの搬送位置及び被印字データのアドレス指定はそのままにして、直前の印字ラインが再印字されるので、前記カッタ３６の切断圧力によりラベルテープ３２ａに搬送ずれが生じても、被印字データの同一ラインが重複印字されることで印字の縦抜けは防止され、印字品質の低下を阻止することができるようになる。
　【００６４】
　なお、前記実施例において説明した１文字印刷処理では、１ラインデータの読込みヘッド通電による印字後に、印刷停止の有無を判断し、モータパルスを出力してテープ搬送し次の１ラインデータをアドレス指定する手順として説明したが、例えばテープ搬送及び１ラインデータのアドレス指定後に、指定された１ラインデータの読込みヘッド通電による１ライン印字を実行し、印刷停止の有無を判断する手順としてもよい。
　【００６５】
　図６は前記ラベルプリンタの１文字印刷処理の他の実施例を示すフローチャートである。
　すなわち、この他の実施例の１文字印刷処理によれば、モータパルスの出力によりラベルプリンタ３２ａが１ライン分搬送されると共に（ステップＡ１）、ＲＡＭ４８内の印字データメモリに記憶される被印字データの１ラインデータがアドレス指定された後に（ステップＡ２）、該１ラインデータの読込み（ステップＡ３）及びサーマル印字ヘッド３５の通電（ステップＡ４）による１ラインデータの印字がなされ、例えばラベルテープ３２ａ切断のための印刷停止の有無が判断される（ステップＡ５）。
　【００６６】
　そして、この他の実施例における印字停止（中断）後の印字再開に際しても、前記実施例同様、印字ラインの更新処理を実行せずに、直前の１ラインデータを重複して印字するので（ステップＡ５→Ａ７→Ａ３，Ａ４）、ラベルテープ３２ａに搬送ずれが生じていても、印字の縦抜けを阻止することができる。
　【００６７】
　なお、上述の実施例では、カッタ３６が制御部（ＣＰＵ）４０の制御を受けて作動するものとしたが、このカッタ３６としては、手動操作で作動するものを使用してもよい。すなわち、カッタ３６を固定刃と可動刃で構成すると共に、装置外より可動刃を作動させる操作機構を設けるものである。
　【００６８】
　この場合には、上記の印字中断時に、表示部１２に「テープのカットを行ない、処理後に実行キーを押してください。」というメッセージ表示をし、テープ切断処理後の「実行」キー２０の押下操作で前記の印字再開処理を始めるように構成する。
　【００６９】
　【発明の効果】
　以上のように、本発明の印刷装置によれば、被印字媒体が所定の距離だけ搬送されて印字手段による所定番目のラインの印字が終了したときに、
モータ
わないように、モータの駆動を行わないことで、
が
モータ
モータ
モータ
　【００７０】
　【００７１】
　よって、本発明によれば、被印字データの印字中における印字の中断に際し、被印字媒体にその搬送方向へのずれが生じた場合でも、印字抜けが生じることなく、良好な印字品質を維持することが可能になる。
【図面の簡単な説明】
　【図１】
　本発明の一実施例に係わる印刷装置を搭載したラベルプリンタの構成を示す外観図。
　【図２】
　前記ラベルプリンタの電子回路の構成を示すブロック図。
　【図３】
　前記ラベルプリンタの１文字印刷処理を示すフローチャート。
　【図４】
　前記ラベルプリンタの１文字印刷処理に伴なう１文字印字動作に対応するヘッド通電信号ＳＴＢとテープ搬送モータパルス信号φ１〜φ４との関係を示すタイミングチャート。
　【図５】
　前記ラベルプリンタの１文字印刷処理に伴なう１文字印字状態を示す図。
　【図６】
　前記ラベルプリンタの１文字印刷処理の他の実施例を示すフローチャート。
　【図７】
　ラベルプリンタのラベルテープに対する被印字データの印字状態を示す図。
　【図８】
　ラベルプリンタのラベルテープ切断のために印字の中断が生じた場合の従来の１文字印字動作に対応するヘッド通電信号ＳＴＢとテープ搬送モータパルス信号φ１〜φ４との関係を示すタイミングチャート。
　【図９】
　前記ラベルテープ切断のために印字の中断が生じた場合の従来の１文字印字状態を示す図。
　【符号の説明】
　１０…プリンタ本体、１１…キー入力部、１２…液晶ドットマトリクス表示部、１３ａ…「ＯＮ」キー、１３ｂ…「ＯＦＦ」キー、１４…文字記号入力キー、１５…「ａＡ」キー、１６…「あア」キー、１７…「空白」キー、１８…「取消し」キー、１９ａ…「変換」キー、１９ｂ…「単漢字」キー、１９ｃ…「無変換」キー、２０…「実行」キー、２１…「機能」キー、２２…「印刷」キー、２３ａ…「↑」キー、２３ｂ…「↓」キー、２３ｃ…「→」キー、２３ｄ…「←」キー、２４…「モード」キー、３１…カセット装着部、３２…インクテープカセット、３２ａ…ラベルテープ、３２ｂ…インクリボン、３２ｃ…転写部、３２ｄ…テープ繰出し部、３３…リボン巻取りスプール、３４…プラテンローラ、３５…サーマル印字ヘッド、３６…カッタ、４０…制御部（ＣＰＵ）、４１…表示メモリ、４２…表示ドライバ、４３…印刷制御部、４４…テープ搬送モータ、４５…カッタ駆動部、４６…ＲＯＭ、４７…キャラクタジェネレータ、４８…ＲＡＭ、ＳＴＢ…ヘッド通電信号、φ１〜φ４…モータパルス、Ｐ０〜Ｐ７…印字ライン、ａ〜ｈ…被印字１ラインデータ、Δｌ……搬送ずれ、Ｌ…ヘッド／カッタ位置間隔、ｌ１…先端余白長、ｌ２…不要余白長、ｌ３…後端余白長